(57)【特許請求の範囲】
【請求項１】
パチンコ台、パチスロ台またはテレビゲーム機のいずれかである遊技機が複数台並設された遊技島に用いられる遊技機用柱において、
前記遊技機用柱は、前記各遊技機間に設置された間柱と、
この間柱の前側に形成されたシールド板収納孔に引出収納自在に設けられたシールド板と、
前記シールド板の移動を阻止するシールド板ロック具と、
前記シールド板ロック具が取り付けられると共に、前記シールド板が引き出し可能に設置された枠フレームと、を備え、
前記シールド板ロック具は、前記間柱の柱面の前面に突出した状態に配置される操作子と、
この操作子の操作に連動して移動し、前記シールド板に形成された係合部に係合・離脱して前記シールド板の移動を阻止・解除するロック部材と、を備え、
前記シールド板および前記シールド板ロック具は、前記枠フレームを前記間柱の内側に取り付けることによって前記間柱に配置され、
前記間柱には、前記遊技機の筐体より前側に突出し、一方の遊技機側に臨む柱面を当該遊技機の正面に対して直交する９０度より大きな角度で形成された傾斜面と、
この傾斜面に設置されパチンコ玉またはコインの数量を計数するカウンタの投入口と、
が設置されて、
前記投入口が、前記遊技機の前にある椅子に着座した遊技者に対して斜めに対向して配置されていることを特徴とする遊技機用柱。
【請求項２】
前記間柱の傾斜面には、インフォメーションボード、モニタ、収納凹部のうちの少なくとも何れか１つが設けられて、
前記インフォメーションボード、モニタ、収納凹部のうちの少なくとも何れか１つが、前記遊技機の前にある椅子に着座した遊技者に対して斜めに対向して配置されていることを特徴とする請求項１に記載の遊技機用柱。
【請求項３】
請求項１または請求項２に記載の遊技機用柱を備えることを特徴とする遊技島用フレーム。
【発明の詳細な説明】
【技術分野】
【０００１】
本発明は、例えば、パチスロ台や、パチンコ台や、テレビゲーム機等の遊技機を複数台並設した遊技島に用いられる遊技機用柱および遊技島用フレームに関する。
【背景技術】
【０００２】
従来からパチンコ台やパチスロ台やテレビゲーム機等の遊技機が配設されている遊技場では、一般に、煙草を喫煙する遊技者が比較的多く、遊技場内に煙草の煙が充満している。このため、遊技場の天上面等には、煙草の煙と一緒に場内の空気を場外に排出する空調装置の排気口や場内の空気を浄化するための空気清浄機が設置されている。
しかしながら、非喫煙者は、周囲の遊技者が煙草を喫煙した場合、煙草の煙が流れて来て、間接的に煙草の煙を吸ったり、洋服等に煙草の臭いが付着したりするため、不快な思いをしていた。
【０００３】
そこで、煙草の煙対策としては、遊技機に設置された喫煙用灰皿の近傍の空気を吸い込んでエアフィルタで浄化して外部に排出する遊技機用の吸煙浄化装置が知られている（例えば、特許文献１参照）。
また、煙草の煙の臭い対策としては、パチンコ遊技機に芳香を発生して煙草の煙の臭いを消臭する芳香発生部を設けた遊技機が知られている（例えば、特許文献２参照）。
【０００４】
その他、遊戯中の遊技者を快適にするためのものとしては、パチンコ玉を供給する上皿の下方にドリンクホルダを設置した遊技機や、遊技機の近隣に引出収納自在なテーブルを配置した貸出機や、ハンドルの下にハンドレストを設置した遊技機が知られている。
【特許文献１】特開２００５−８７４３９号公報（請求項１、図１、図４および図５）
【特許文献２】特開２００４−３２１５６４号公報（請求項１、図１）
【発明の開示】
【発明が解決しようとする課題】
【０００５】
しかしながら、前記特許文献１の構成では、煙草の煙を吸い取って消臭するために、吸気ダクト（清浄空気流路）や、吸気装置（送風ファン）等や、空気を浄化するためのエアフィルタや、送風ファンと電源とを接続するための電気配線等を遊技機に設置しなければならない。
一方、前記特許文献２の構成では、煙草の煙の臭いを消臭するために、芳香剤収納部や、芳香剤放出部や、送風ファンや、芳香剤放出スイッチや、芳香剤発生制御装置の各機器を電源等に電気的に接続するための電気配線等を設置しなければならない。
このため、特許文献１，２の構成は、複雑な機構内にさらに前記各機器を設置しなければならないので、部品点数や組付工数が大幅に増加して、遊技機を設置するときの内部の構造が複雑化すると共に、遊技島全体の構造が複雑化するため、コストが大幅に上昇するという問題点がある。
【０００６】
また、遊技場では、各遊技機から音が発生されることにより、遊技場内に流す音楽等の音量を大きくしなければならないため、遊技場全体に比較的大きな音が鳴り響いている。
このように遊技場では、一般に、騒音や煙草の煙が比較的多い状態になっている。
しかしながら前記特許文献１，２の構成は、煙草の煙対策としての機能は発揮することができても、騒音防止対策としては全く機能を果さない。
【０００７】
そこで、遊技機に防煙対策や騒音対策のための機器や部品を取付けることなく、比較的安価にその対策を行うことができると共に、遊技機を支持する遊技機用柱および遊技島用フレームが多機能的で便利な遊技島を構成することが望まれていた。
【０００８】
また、前記遊技機に設置したドリンクホルダは、遊技機に水平方向に引出収納自在に設置された薄い平板状に形成されているので、強度が乏しく、コップ等が傾き易く、飲み物が隣席側に落下することがあり、隣席の遊技者に迷惑を来たすことがあった。
【０００９】
前記貸出機に設置したテーブルは、貸出機に出没自在、かつ回動自在に設けた薄板状のテーブルであるため、強度が乏しく、カバン等の比較的大きて重い荷物を載せることができないという問題点があった。
【００１０】
前記遊技機のハンドルの下に設置したハンドレストは、手の小子球を支持する部材であるため、手の負担は解消するが、肘や肩の負担が解消できず、肩が凝るという問題点があった。
【００１１】
本発明の課題は、前記問題点に鑑み創案されたものであり、煙草の煙や遊技機の音が周囲に発散することを抑制すると共に、多機能的に使用することが可能な遊技島に用いることができる遊技機用柱および遊技島用フレームを提供することにある。
【課題を解決するための手段】
【００１２】
前記課題を解決するために、請求項１に記載の遊技機用柱は、パチンコ台、パチスロ台またはテレビゲーム機のいずれかである遊技機が複数台並設された遊技島に用いられる遊技機用柱において、前記遊技機用柱は、前記各遊技機間に設置された間柱と、この間柱の前側に形成されたシールド板収納孔に引出収納自在に設けられたシールド板と、前記シールド板の移動を阻止するシールド板ロック具と、前記シールド板ロック具が取り付けられると共に、前記シールド板が引き出し可能に設置された枠フレームと、を備え、前記シールド板ロック具は、前記間柱の柱面の前面に突出した状態に配置される操作子と、この操作子の操作に連動して移動し、前記シールド板に形成された係合部に係合・離脱して前記シールド板の移動を阻止・解除するロック部材と、を備え、前記シールド板および前記シールド板ロック具は、前記枠フレームを前記間柱の内側に取り付けることによって前記間柱に配置され、前記間柱には、前記遊技機の筐体より前側に突出し、一方の遊技機側に臨む柱面を当該遊技機の正面に対して直交する９０度より大きな角度で形成された傾斜面と、この傾斜面に設置されパチンコ玉またはコインの数量を計数するカウンタの投入口と、
が設置されて、前記投入口が、前記遊技機の前にある椅子に着座した遊技者に対して斜めに対向して配置されていることを特徴とする。
【００１３】
請求項１に記載の本発明によれば、遊技者が遊技機の前方に設置された椅子に着座して煙草を喫煙すると、煙草の煙は、遊技者の口などから遊技機の前面（ガラス面等）に向けて吹き出され、そのガラス面と遊技機の左右両側のシールド板とが煙のガイドとなって上昇して遊技場の天上面側に導かれる。
なお、遊技機の灰皿に煙草を置いた場合も煙が同様に、灰皿から遊技機の前面に沿って遊技機の左右両側のシールド板の間を通って、ガラス面と左右両側のシールド板とがガイドとなって天上面側に導かれる。
また、各遊技機には、音を発生するスピーカが設置されており、そのスピーカから発散された音は、遊技機の左右に配置されたシールド板によって反射され、遊技機の正面側にみに発散されるように音を指向させる。
【００１５】
さらに、請求項１に記載の本発明によれば、シールド板は、必要に応じてシールド部材を間柱から引き出して遊技機間を間仕切りすることができる。例えば、遊技者が煙草を喫煙する場合には、間柱からシールド板を引き出すことにより、隣席側に煙草の煙が流れるのをシールド板によって遮断することができる。また、隣席の遊技者が煙草を喫煙している場合には、隣席側から煙草の煙が流れて来るのを阻止することができる。
また、請求項１に記載の本発明によれば、シールド板は、遊技者が操作子を操作すると、その操作子によってロック部材が作動してシールド板が移動しないようにロックしたり、そのロックを解除したりすることができる。
【００２３】
また、請求項１に記載の本発明によれば、遊技機用柱の柱面は、遊技機の正面に対して直交する９０度より大きい方向を向いた傾斜面で形成されたことによって、遊技機の筐体より前側に突出して傾斜した分だけ面積が広くなる。その結果、その柱面に、各種機器等を設置することが可能となる。この遊技機用柱は、遊技機の筐体より前側に突出した間柱の傾斜面が遊技機の前方の椅子に着座した遊技者の方向を向くようになるため、例えば、この傾斜面に、各種機器等を設置した場合、その各種機器等の操作がし易くなる。
【００２５】
さらに、請求項１に記載の本発明によれば、各遊技機の左右両側に設けられた間柱の柱面にカウンタの投入口が設置されていることにより、遊技者は、パチンコ玉またはコインをその場で計数することができる。
【００２６】
請求項２に記載の遊技機用柱は、請求項１に記載の遊技機用柱であって、前記間柱の傾斜面には、インフォメーションボード、モニタ、収納凹部のうちの少なくとも何れか１つが設けられて、前記インフォメーションボード、モニタ、収納凹部のうちの少なくとも何れか１つが、前記遊技機の前にある椅子に着座した遊技者に対して斜めに対向して配置されていることを特徴とする。
【００２７】
請求項２記載の本発明によれば、間柱は、傾斜面に、インフォメーションボード、モニタ、収納凹部のうちの少なくとも何れか１つが設けられて、遊技機の前にある椅子に着座した遊技者に対して斜めに対向して配置されていることにより、その各種機器等を遊技者Ｍにとって見易く、操作がし易い位置に設置することができる。
【００２８】
請求項３に記載の遊技島用フレームは、請求項１または請求項２に記載の遊技機用柱を備えることを特徴とする。
【００２９】
請求項３に記載の本発明によれば、遊技島用フレームは、前記した遊技機用柱を備えていることにより、間柱の断面積が大きくなることで、強度が向上されて、各遊技機間に種々の機器や表示器等を設置して多目的に使用可能となる。
【発明の効果】
【００３０】
本発明の請求項１に係る遊技機用柱によれば、各遊技機間に間柱およびシールド板を設けたことにより、煙草の煙と臭いを、遊技者の左右方向に広がることを抑制し、天上面の排気口に導いて外部に排出することができる。さらに、シールド板は、遊技機のスピーカから発生した音を反射することで、その音に指向性を持たせて、遊技機の前側方向にのみに広がるようにして、遊技機の左右方向にスピーカ音が発散されることを抑制することができる。
このため、遊技機や遊技機用柱や遊技島に複雑な煙吸引装置や防音装置を設置することなく、簡素な部材を遊技機用柱に設置するだけで、遊技場内全体に煙草の煙が発散するのを抑制し、音を静かに抑えることができる。
【００３１】
また、本発明の請求項１に係る遊技機用柱によれば、シールド板が、間柱内に引出収納自在に配置されていることにより、必要に応じてシールド部材を間柱から引き出して遊技機間を間仕切りすることができる。
また、シールド板は、操作子を操作することによって、ロック部材が連動してシールド板の移動を阻止するため、シールド板が間柱から引き出した状態等に固定させて動かないようにロックさせておくことができる。
【００３６】
また、本発明の請求項１に係る遊技機用柱によれば、間柱にカウンタを設けたことにより、遊技者は、椅子から立ち上がって遊技機の前から移動することなく、パチンコ玉またはコインの数量を容易に計数することができるため、パチンコ玉またはコインを入れた重い箱を持って歩くことを解消できる。
【００３７】
本発明の請求項２に係る遊技機用柱によれば、間柱は、遊技機の筐体より前側に突出し、一方の遊技機側に臨む柱面を当該遊技機の正面に対して直交する９０度より大きくなる傾斜面としたことにより、当該傾斜面に、例えば、液晶画面や、飲料缶や、コップ置き等の設置場所を遊技者の使い易い位置に設けることができる。
【００３８】
本発明の請求項３に係る遊技島用フレームによれば、遊技機用柱を備えていることにより、間柱の断面積が大きくなることで、強度が向上される。また、間柱の傾斜面に種々の機器や表示器等を設置して多機能的に使用することが可能になる。
【発明を実施するための最良の形態】
【００３９】
［第１実施形態］
次に、図１〜図４を参照して、本発明の第１実施形態を説明する。
図１は、本発明の第１実施形態に係る遊技機用柱および遊技島用フレームの設置状態を示す遊技島の要部斜視図である。図２は、本発明の第１実施形態に係る遊技機用柱および遊技島用フレームの設置状態を示す遊技島の要部平面図である。図３は、本発明の第１実施形態に係る遊技機用柱および遊技島用フレームの設置状態を示す遊技島の要部側面図である。
【００４０】
≪遊技機の構成≫
図１に示す遊技機２は、例えば、パチンコ台や、パチスロ台や、テレビゲーム機のいずれかであり、ここではパチンコ台を例として示し、ハンドル２３がある前面に、スピーカ２２が設置されている。各遊技機２は、筐体２１（図２、図３参照）が、遊技島３を形成するユニット化された遊技機用フレーム（以下、単に「フレーム」という）３１によって保持されている。
【００４１】
≪遊技島の構成≫
遊技島３は、遊技場１内において、遊技機２が複数台連続して並設された１つの固まりを構成する設備であり、遊技場１内に適宜に複数配列されている。この遊技島３には、各遊技機２を支持するフレーム３１と、このフレーム３１を床１３（図３参照）に植設されたアンカーボルト（図示せず）に固定するためのアンカーボルトブラケット（図示せず）と、フレーム３１に設置されるパネル板３４と、各遊技機２間に設けられた間柱４と、各遊技機２の下方部位から前方側に突出して配設された膳板３５と、間柱４内に引出収納自在に配置されたシールド板５を有する遊技機用柱Ｐと、間柱４内に引出収納自在に配置された表示板１０等が備えられている。
図２および図３に示すように、遊技島３は、ここでは、前面および後面にそれぞれ遊技機２が並設されて、背中合わせの状態に配列されている。
【００４２】
≪遊技機用柱の構成≫
遊技機用柱Ｐは、図２に示すように、遊技機２が複数台並設された遊技島３に用いられる柱であり、間柱４と、シールド板５とを備えている。この遊技機用柱Ｐは、フレーム３１の縦方向の骨格を形成する支柱３２、および各フレーム３１の支柱３２間に設置されている。
【００４３】
図４は、本発明の第１実施形態に係る遊技機用柱および遊技島用フレームの設置状態を示す遊技島の要部正面図である。
図２〜図４に示すように、遊技島３において、各遊技機２の前方には、所定間隔を介して、遊技者Ｍが着座する椅子Ｃが並設されている。
また、図３および図４に示すように、遊技場１の天井面１１には、遊技場１内の空気や煙草の煙等を吸引して排出したり浄化したりする排気口または空気清浄機（以下、単に「排気口１２」という）が設置されている。
【００４４】
≪フレームの構成≫
図２および図３に示すように、フレーム（遊技機用フレーム）３１は、遊技島３の前側に配置された１台の遊技機２と、この遊技機２に背中合わせのように遊技島３の後側に配置された１台の遊技機２との合計２台を支持するユニット状の枠体であり、左右に遊技機用柱Ｐを備えている。このフレーム３１は、間柱４を有する遊技機用柱Ｐを介在して複数連設され、遊技島３の骨格を形成している。
このフレーム３１は、各遊技機２の左右両側にそれぞれ配置されて当該遊技機２を支持する支柱３２と、遊技島３の前後にそれぞれ配置された遊技機２の左右の支柱３２に対して前後方向に架設された架設材３３と、パネル板３４（図１参照）と、シールド板５の上下に設置された摺動部５ｂを摺動自在に支持するスライド支持部３６と、遊技機用柱Ｐとを備えている。
【００４５】
図２および図３に示すように、支柱３２は、遊技島３の柱、および遊技機２を保持する支持部材としての役目を果す骨格部材であり、例えば、コ字形（溝形鋼）、Ｌ字形（山形鋼）、ロ字形の金属材等によって形成されている。この支柱３２は、各遊技機２間に、床１３に対して垂直に配設され、前側が間柱４によって覆われている。
架設材３３は、遊技島３の前面側に設置された支柱３２と後面側に設置された支柱３２とに連結される部材であり、例えば、帯状の金属製板材によって形成されている。
なお、支柱３２および架設材３３は、木材であってもよい。
【００４６】
図１に示すように、パネル板３４は、フレーム３１の前面を覆う薄いステンレス鋼板などの金属製板材、または化粧板からなり、遊技島３の表面に現れている遊技機２、間柱４および膳板３５以外の部分を覆う部材である。このパネル板３４は、遊技機２の上側および膳板３５の下側に配置されるいわゆる腰板、ランプ板、幕板、天板等からなる。
【００４７】
膳板３５は、パチンコ玉またはコインを入れる箱や灰皿９等を載置するための板材であり、例えば、ステンレス鋼板などの金属製板材によって形成されている。この膳板３５は、遊技機２の下端部に棚状に設置されている。
【００４８】
スライド支持部３６は、遊技島３の間柱４の中側に配設されて、引き出し自在なシールド板５の上下端部の摺動部５ｂ（図３参照）を支持するガイド部材であり、間柱４の柱面４３の内壁面に水平に設置される。
【００４９】
≪間柱の構成≫
図１に示すように、間柱４は、遊技島３の各遊技機２間の前面側にそれぞれ介在される柱であり、例えば、ステンレス鋼板などの金属製板材によって形成されている。間柱４は、遊技機２の筐体２１（図２参照）より前側に突出し、一方（右側）の遊技機２側に臨む柱面４４を当該遊技機２の正面に対して直交する９０度より大きな角度θでなる傾斜面４４ａとした。さらに、この間柱４は、例えば、１枚の金属製板材を曲げ加工して形成されると共に、少なくとも仕切壁部４２の左右のどちらか一方（例えば、右側）の柱面４４が、遊技機２の前面に対して傾斜する傾斜面４４ａを有し、この仕切壁部４２が平面視して先細形状に形成されている。
間柱４は、左右両端部に、遊技島３の内側に向かってＬ字型に折曲したブラケット部４５を有すると共に、右側中央部に、貸出機８を設置するための切欠部４６が形成されている。間柱４は、仕切壁部４２の先端面に、シールド板５を出没自在に設置するためのシールド板収納孔４ａと、表示板１０を出没自在に設置するための表示板収納孔４ｂとが穿設されている。
【００５０】
このように形成された間柱４は、遊技島３の各フレーム３１を支持する柱としての機能と、遊技島３内に配置されると共に遊技機２間に介在された部材を覆い隠すカバーとしての機能と、遊技機２間に設置される貸出機８、肘掛け６、カウンタ７等を装着するための支持部材として機能とを果す。
この間柱４は、遊技機２の筐体２１より前側に突出し、先端部にシールド板５を設けた仕切壁部４２を有すると共に、例えば、一方（仕切壁部４２の右側）の遊技機２側に臨む柱面４４に、パチンコ玉またはコインの数量を計数するカウンタ７と、インフォメーションボード４７とが設置され、他方（仕切壁部４２の左側）の遊技機２側に臨む柱面４３に、肘掛け６が設けられている。
【００５１】
間柱４の基端部４１は、各遊技機２の左右両側に配設された支柱３２と、各遊技機２間の空間とを覆うようにして配置され、例えば、遊技機２の表面（ガラス面Ｇ）と略面一に配置された垂直な平面からなる。この基端部４１の左右両端部には、ブラケット部４５が遊技島３の内側方向に向けて折曲形成されて、基端部４１の中央部には、平面視して連山形状の仕切壁部４２が形成されている。
【００５２】
仕切壁部４２は、１枚の金属製板材を平面視して直角三角形に折曲形状した山状の突起からなり、その折曲箇所が補強部となって間柱４の強度を向上させている。この仕切壁部４２は、例えば、遊技機２から前方に突出した状態に配設されている膳板３５と略同じ程度基端部４１から前方に突出した状態に設けられている。この仕切壁部４２は、左側の柱面４３が基端部４１に対して直角に形成され、右側の柱面４４（傾斜面４４ａ）が基端部４１に対して傾斜している（図２参照）。各仕切壁部４２には、直交するようにして膳板３５が水平に設置されている。
【００５３】
図１に示すように、間柱４の左側の柱面４３は、遊技機２の右側に配置され、ハンドル２３の近傍に、上下方向に高さを調整可能な肘掛け６が設置されている。この柱面４３には、肘掛け６の底面に設けられたＬ字型の固定片６１（図４参照）を固定するボルトまたはねじ部材からなる２本の固定具６２（図４参照）と、この２本の固定具６２がそれぞれ上下方向に向けて摺動自在に挿通される位置調整溝４３ａとが設けられている。
【００５４】
間柱４の右側の柱面４４（傾斜面４４ａ）には、カウンタ７の投入口を開閉してパチンコ玉またはコインを投入するためのシュータ（投入口）７１と、投入されたパチンコ玉またはコインの数を表示する表示部７２とが配設されている。
【００５５】
ブラケット部４５は、基端部４１の左右両端部を折曲形成してなり、ボルト、またはねじ部材等に締結部材（図示せず）によって間柱４を支柱３２に固定する箇所である。なお、ブラケット部４５は、間柱４の左右両端部全体を折曲形成したものでも、またはその一部を折曲形成したものでも、どちらであってもよい。
【００５６】
≪シールド板の構成≫
図１に示すように、シールド板５は、遊技機２間を間仕切りする板部材であり、例えば、隣席側からの煙草の煙を避けるためや、自分が喫煙した煙草の煙が隣席側の方へ流れないようにするためや、自分の席にある遊技機２のスピーカ２２の音が隣席側の方へ鳴り響くのを抑制するためや、隣席のスピーカ２２の音を避けるためや、隣席の遊技者Ｍと体が接触しないようにするため等に使用される。シールド板５は、間柱４内に引出収納自在に配置されて、仕切壁部４２の先端面から前方に引き出して使用されると共に、使用時には、少なくとも遊技機２の下端部の高さから上端部の高さに亘って配置されるように設けられている。言い換えれば、シールド板５は、遊技機２の前方に配置された椅子Ｃの着座部の略高さからこの椅子Ｃに着座した遊技者Ｍの上半身を超える高さに配置されている（図３参照）。このシールド板５は、例えば、アクリル樹脂等の透明な合成樹脂材料によって、側面視して円弧状に形成されている。そして、シールド板５の引き出し長さは、ここでは、少なくとも着座した遊技者Ｍの口が、図３で示すように側面から見たときに隠れる程度まで引き出すことができるように構成されている。
【００５７】
シールド板５には、当該シールド板５の上端部および下端部に設けられ、上下のスライド支持部３６にそれぞれ摺動自在に支持された摺動部５ｂと、前端部中央に設置されて、手で持って引き出すときなどに使用される把手５ａとが設けられている。このシールド板５は、間柱４に形成されたシールド板収納孔４ａ内に引出収納自在に配置されている。
【００５８】
≪表示板の構成≫
図１に示すように、表示板１０は、間柱４に隣設された遊技機２の情報として出玉の数量を制限しないときに使用される「無制限」や、フィーバーのときに使用される「スタート」や、パチンコ玉等が多量に出た実績を示す「大当たり」等の文字をそれぞれ付記した、例えば、３枚の板材からなる（図３参照）。この表示板１０は、シールド板５の上側の仕切壁部４２の先端面に、縦１列に設けられた３つの表示板収納孔４ｂにそれぞれ引出収納自在に配置されている。この表示板１０の前端部には、表示板収納孔４ｂの開口縁に係止するＬ字型等からなる摘みまたは係止部１０ａが形成されている。
【００５９】
インフォメーションボード４７は、例えば、液晶画面のテレビ画面等であり、遊技者Ｍにテレビ番組やニューズを提供したり、あるいは遊技場１のイベント等のお知らせを知らせたりするためのもので、遊技者Ｍの斜め前方の柱面４４に配置される。
【００６０】
≪肘掛けの構成≫
肘掛け６は、遊技者Ｍがハンドル２３を操作する右側の腕を載せるためのものであり、遊技機２の右側の柱面４３のハンドル２３の近隣の位置に設置される。肘掛け６は、腕を載せる上面部の部分が、布等によって覆われたクッション材からなり、そのクッション材の下に金属製板材等からなるＬ字型の固定片６１が設けられている。この肘掛け６は、固定具６２によって固定片６１を位置調整溝４３ａの適宜な位置に固定できるようになっている。
【００６１】
≪カウンタの構成≫
図１に示すように、カウンタ７は、例えば、パチンコ玉の数量を計数するジェットカウンタ、またはコインの数量を計数するメタルカウンタであり、シュータ７１と、表示部７２等を備えてなる。
なお、このカウンタ７は、間柱４の右側の柱面４４の下方部位に設置しても構わない。
【００６２】
シュータ７１は、パチンコ玉またはコインを投入する投入口であり、下端部を回動自在に仕切壁部４２に軸支して、上端部が回動することにより、投入口が開閉するように柱面４４に設置されている。カウンタ７を使用するときには、シュータ７１の投入口を引き出して、上向きに開口した投入口にパチンコ玉を投入すれば、自動的にパチンコ玉の数量を計数して、表示部７２に数量を表示するようになっている。そして、カウンタ７の未使用時には、シュータ７１の開閉蓋を柱面４４と面一の状態に押し戻して、パチンコ玉の投入口を閉塞する。
なお、このシュータ７１内に投入された例えばパチンコ玉は、遊技島３に設置した玉循環装置の循環路または玉供給装置の供給路Ａ（図２参照）に流れるようになっている。そして、供給路Ａまでの間に、パチンコ玉またはコインを計数する計数機構（図示せず）が設けられている。
【００６３】
表示部７２は、計数したパチンコ玉またはコインの数を、液晶または発光素子によってデジタル表示する表示装置によって構成されている。この表示部７２は、柱面４４に設置されたシュータ７１の上側に配設される。また、表示部７２で表示された計数結果は、プリンタ（図示せず）によって印字されて出力されるように構成されている。
【００６４】
≪貸出機の構成≫
貸出機８は、硬貨や紙幣を投入することで、投入された金額に応じた数量のパチンコ玉またはコインを供給口から供給して貸し出す装置である。
【００６５】
≪遊技機用柱および遊技島用フレームの作用≫
次に、本発明の第１実施形態に係る遊技機用柱Ｐおよび遊技島用フレーム３１の作用を、図１〜図４を参照して説明する。
図１に示すように、遊技機用柱Ｐの間柱４には、柱面４３，４４に、肘掛け６、カウンタ７およびインフォメーションボード４７を設置することや、仕切壁部４２の先端面に、シールド板５および表示板１０を設置することや、間柱４の両端部に、各フレーム３１を固定することが可能である。そして、肘掛け６は、仕切壁部４２が各遊技機２間に、筐体２１より突出して設置されているため、ハンドル２３の近傍の右側の柱面４３に配置することができる。
また、間柱４は、強度を有することにより、左右端部に設置される遊技機２用のフレーム３１をしっかりと保持することができると共に、遊技島３全体をしっかりと組立てることができる。
【００６６】
図２に示すように、仕切壁部４２の柱面４４は、遊技機２の正面に対して直交する９０度より大きい角度θからなる傾斜面４４ａで形成されていることにより、傾斜面４４ａに設置されたカウンタ７とインフォメーションボード４７（図１参照）とが、遊技機２の前方の椅子Ｃに着座した遊技者Ｍの方向を向いた状態に配置される。
その結果、遊技者Ｍは、開口したカウンタ７のシュータ７１の投入口にパチンコ玉等を投入してその場で計数できるようになると共に、パチンコ玉等の投入やカウンタ７の操作し易くなる。さらに、仕切壁部４２は、傾斜面４４ａがあることによって断面積が広くなるため、パチンコ玉等の供給路Ａに連結したシュータ７１の投入口をスペース的に容易に設置できるようになる。
また、インフォメーションボード４７も、遊技者Ｍの方向を向いて配置されるため、見易くなる。
【００６７】
図３に示すように、遊技者Ｍが椅子Ｃに着座し、遊技機２を操作する場合、遊技者Ｍは、肘掛け６に腕を載せてハンドル２３を把持したときに、肘掛け６の高さが適当でないときには、固定具６２を緩めて肘掛け６を上下方向に移動させて適切な位置に調整し、固定具６２で固定する。
このように、遊技者Ｍは、肘掛け６の位置を、遊技機２のハンドル２３を操作する遊技者Ｍの肘の位置に合わせて最適な高さに調整し、腕を肘掛け６の上に載せた状態で操作することにより、腕や肩にかかる負荷が軽減されるため、遊技機２を長時間操作しても疲れないようになる。
【００６８】
一方、図２に示すように、間柱４には、シールド板５が引出収納自在に配置されていることにより、遊技者Ｍが、種々の目的で遊技機２間を仕切りたいときに、シールド板５を引き出して衝立のように仕切ることができる。
【００６９】
例えば、図２に示すように、遊技機２の左右両側のシールド板５を引き出して、椅子Ｃの前方にある遊技機２のスピーカ２２から音が発生された場合、その音は、矢印Ｂで示すように、遊技機２の左右のシールド板５によって反射されながら遊技機２の前方向に発散される。
このように、遊技機２の左右にシールド板５を設けることにより、シールド板５が防音壁となって左右方向に広がるスピーカ２２の音を反射して抑制するため、スピーカ２２の音が隣席の遊技者Ｍの方へ伝達されることを低減させることができる。
逆に、遊技者Ｍの周囲からの音は、遊技者Ｍの左右のシールド板５によって反射する。
【００７０】
これにより、シールド板５は、遊技機２のスピーカ２２から発生された音が遊技者Ｍの隣席の遊技者Ｍに伝達されるのを低減すると共に、スピーカ２２の音量を小さくしても遊技者Ｍに十分に聞こえるため、音響効果も良好で、遊技場１全体を静かにすることができる。
【００７１】
また、図４に示すように、椅子Ｃに着座した遊技者Ｍが煙草を喫煙した場合、遊技機用柱Ｐの間柱４からシールド板５を引き出すことにより、煙草の煙と臭いは、左右のシールド板５と、遊技機２（図３参照）とによって遊技者Ｍの左右の横方向に広がることが阻止されて、シールド板５と遊技機２にガイドされて矢印Ｙの上方向の天井面１１に向かって上昇し、その天井面１１に設置された排気口１２から遊技場１外へ排出される。そのため、煙草の煙を気にせずに遊戯できるようになる。
【００７２】
その結果、シールド板５は、煙草を喫煙しない非喫煙者に配慮して、煙草の煙や煙草の臭いが周囲の遊技者Ｍの方へ流れことを防止できると共に、排気口１２に向かってスムーズに流れるように導いて排出できる。
【００７３】
また、図４に示すように、遊技場１では、椅子Ｃが比較的狭い間隔で設けられていることがある。この場合、遊技者Ｍの肩や腕等が隣席の遊技者Ｍに接触することがあるが、シールド板５が各遊技機２間の間柱４から前側に突出していることにより、左右隣の遊技者Ｍ間が仕切られた状態になるため、遊戯中や、椅子Ｃに着座したり、起立したりしたときに隣席の遊技者Ｍと接触することを解消できる。
【００７４】
なお、シールド板５は、透明な材料によって形成されていることにより、天井面１１に設置されている照明器具からの光を遮ることがないため、遊技機２や遊技場１内全体が暗くなることを回避できる。さらに、透明な樹脂によって形成されていることから、遊技者Ｍが遊技機２を選択するときに、シールド板５越しに遊技機２を目視することができる。
【００７５】
また、仕切壁部４２の先端面の上側には、各間柱４に隣設された遊技機２の当たりに関する情報を表示する表示板１０が引出収納自在に配置されている。このため、遊技機２の当たりに関する「無制限」や、「スタート」や、「大当たり」を表示する場合には、表示板１０の係止部１０ａを摘んで間柱４から引き出せよい。
このため、表示板１０は、必要なときのみ引き出し、不要なときに収納して見えなくすることができることにより、遊技場１の従業員が、表示板１０を間柱４に取付けるために、例えば、３種類の表示板１０を手に持って場内を歩き回ることを解消することができる。
【００７６】
なお、このような間柱４およびシールド板５を備えた遊技機用柱Ｐは、遊技島３において、新たに電気回路や空調用装置を設置することなく、スピーカ２２の音や煙草の煙対策として効果を発揮することができ、構造が簡素で、比較的安価に製造することができると共に、各遊技機２間に各種機器等の設置場所を提供することができる。
【００７７】
以上、本発明の第１実施形態として遊技機２がパチンコ台の場合を説明したが、遊技機用柱Ｐおよびフレーム３１をパチスロ台用としても使用することが可能である。
この場合、パチスロ台の右側に貸出機８が設置されるので、図１に示す遊技機用柱Ｐの間柱４をそのままの状態にして、遊技機（パチスロ台）２を左側に移動して切欠部４６に装着し、遊技機（パチスロ台）２に右側に貸出機８を配置する。そして、高さ調整機構（図示せず）によって、左右の間柱４間に介在される膳板３５と、遊技機２の上下を支持するフレーム３１の上部支持部材および下部支持部材（図示せず）とを約１２０ｍｍ下方に移動して配置し、上下方向の寸法を適宜に調整したパネル板３４を取付ければよい。
【００７８】
［第２実施形態］
次に、図５を参照して本発明の第２実施形態に係る遊技機用柱を説明する。なお、前記第１実施形態で説明した構成要素と同じものは、同一符号を付してその説明を省略する。
図５は、本発明の第２実施形態に係る遊技機用柱を示す図であり、（ａ）は右側から見た間柱の斜視図であり、（ｂ）は左側から見た間柱の斜視図である。
前記本発明の第１実施形態では、遊技機用柱Ｐの間柱４として、図１および図２に示すように、１枚の金属製板材に、平面視して略直角三角形の仕切壁部４２Ａを形成した場合を例に挙げて説明したが、本発明の第２実施形態に係る遊技機用柱Ｐ１の間柱４Ａは、例えば、図５（ａ）、（ｂ）に示すように、金属製板材を多角柱状に形成したものでもよい。
このようにすることにより、遊技機用柱Ｐ１は、平面視して間柱４Ａが閉断面部を形成すると共に、間柱４Ａの断面積が大きくなることで、さらに、強度を向上させることができる。
【００７９】
また、図５（ａ）に示すように、間柱４Ａの仕切壁部４２Ａの柱面４４Ａには、前記したカウンタ７以外に、飲料缶やコップやペットボトルやその他の小物類を置くことができる略棚状の収納凹部４８や、液晶テレビ等のモニタ４９を設置してもよい。
このように、間柱４Ａの一方の遊技機２側に臨む柱面４４Ａに収納凹部４８を形成したことにより、遊技者Ｍは、遊技機２を操作しながら間柱４Ａの収納凹部４８に各種の所持品を置くことが可能であり、便利となる。さらに、間柱４Ａは、椅子Ｃに着座した遊技者Ｍの方向を向くように収納凹部４８が配設されているので、飲料缶やコップや携帯電話機や煙草の箱体等の小物類が置き易く、また、他の遊技者Ｍに邪魔にならないように置くことができる。
そして、モニタ４９は、柱面４４Ａの傾斜面４４Ａａに設置することにより、遊技者Ｍの斜め前方に配置することができるため、遊技者Ｍにとって見易い位置に設置することができる。
【００８０】
また、図５（ｂ）に示すように、間柱４Ａの仕切壁部４２Ａの柱面４３Ａには、肘掛け６Ａを上下方向に回動自在に軸支して、柱面４３Ａに形成した肘掛収納部４３Ａａに、没入するように収納自在に設けてもよい。
遊技機用柱Ｐ１は、このような間柱４Ａを備えたことにより、前記以外のその他の機器等を適宜に設置して、さらに多機能的な柱として使用することもできる。
【００８１】
そして、シールド板５Ａは、前端部と上端部と下端部とに、断面が円形の枠体５Ａｃを取付けて、この枠体５Ａｃの前端部を把手５Ａａとし、この枠体５Ａｃの上端部および下端部を摺動部５Ａｂとしてスライド支持部３６を摺動自在に支持するようにしてもよい。
【００８２】
［第３実施形態］
図６は、本発明の第３実施形態に係る遊技機用柱を示す図であり、（ａ）は略三角柱形状の間柱を示す斜視図、（ｂ）は中央部に傾斜面を有する間柱の斜視図、（ｃ）は略Ｌ字型の間柱の斜視図、（ｄ）中央部に傾斜面を有する略Ｔ字型の間柱の斜視図である。
前記第２実施形態の遊技機用柱Ｐ１（図５（ａ）、（ｂ）参照）は、図６（ａ）に示す本発明の第３実施形態に係る遊技機用柱Ｐ２〜Ｐ５のように、上下に閉塞板４Ｂａを有する略三角柱形状の間柱４Ｂからなる遊技機用柱Ｐ２や、図６（ｂ）に示すように、中央部に傾斜面４Ｃａを有する間柱４Ｃからなる遊技機用柱Ｐ３や、図６（ｃ）に示すように、平面視して略Ｌ字型の間柱４Ｄからなる遊技機用柱Ｐ４や、図６（ｄ）に示すように、中央部に傾斜面４Ｅａを有する平面視して略Ｔ字型の間柱４Ｅからなる遊技機用柱Ｐ５等であっても構わない。
【００８３】
この場合も、間柱４Ａ，４Ｂ，４Ｃ，４Ｄ，４Ｅは、第１実施形態および第２実施形態の間柱４（図１参照），４Ａ（図５参照）と同様に、遊技機２の筐体２１（図１参照）より左右の柱面４Ｂｂ，４Ｃｂ，４Ｄｂ，４Ｅｂが前側に突出した状態に設置されるため、図５（ａ）、（ｂ）に示すカウンタ７、収納凹部４８、モニタ４９、肘掛け６Ａ等を設置して多機能的に使用することが可能である。
【００８４】
［第４実施形態］
次に、図７〜図１３を参照して本発明の第４実施形態に係る遊技機用柱を説明する。なお、前記第１〜第３実施形態で説明した構成要素と同じものは、同一符号を付してその説明を省略する。図７は、本発明の第４実施形態に係る遊技機用柱を示す斜視図である。
【００８５】
前記本発明の第１〜第３実施形態では、図１、図５、図６等に示すように、間柱４，４Ａ〜４Ｅの柱面４３，４３Ａ，４４，４４Ａ，４Ｂｂ，４Ｃｂ，４Ｄｂ，４Ｅｂを遊技機２の筐体２１（図１参照）より突出させた遊技機用柱Ｐ，Ｐ１〜Ｐ５を例に挙げて説明したが、本発明の第４実施形態に係る遊技機用柱Ｐ６の間柱４Ｆは、例えば、図７に示すように、遊技機２の筐体２１の正面に対して同一平面の状態に設置される形状のものでもよい。以下、第４実施形態の各部の構成を説明する。
【００８６】
≪遊技機用柱および間柱の構成≫
図７に示すように、遊技島３に用いられる遊技機用柱Ｐ６の間柱４Ｆは、例えば、平面視して略長方形に形成された柱からなり、上下方向に延設されている。この間柱４Ｆは、ステンレス鋼等の金属製平板部材をプレス加工等で形成される。この間柱４Ｆの前側の柱面４Ｆｂには、後記する肘掛け６Ｂ、棚５５，５６、インフォメーションボード４７Ａ、シールド板５Ｂ、およびシールド板ロック具５０が設置されている。このように、間柱４Ｆは、遊技機２の筐体２１に対して面一に設置されていても、各種の機器や部材を設置することができ、遊技を快適に行うことができるように構成されている。また、この間柱４Ｆには、この間柱４Ｆの柱面４Ｆｂに設置された操作子５２と、この操作子５２の操作に連動してシールド板５Ｂの移動を阻止するロック部材５４ａ（図９参照）と、が備えられている。
【００８７】
≪肘掛けの構成≫
図８は、本発明の第４実施形態に係る遊技機用柱における肘掛けの設置状態を示す拡大斜視図である。
図７および図８に示すように、肘掛け６Ｂは、遊技機２のハンドル２３の右側近傍に配置された軸部６Ｂａ（図８参照）を中心として垂直な方向から手前側の水平な方向に９０度回動可能に設置されている。肘掛け６Ｂは、間柱４Ｆに穿設された縦長の孔からなる肘掛収納部４Ｆａに収納自在に設けられた略直方体形状のものから成る。この肘掛け６Ｂは、金属、樹脂、あるいは木材によって形成された長方形の厚板部材からなる基体と、この基体に載設されたクッション材と、基体の下端部に設置された軸部６Ｂａとを備えている。
なお、肘掛け６Ｂは、ハンドル２３の右側近傍に出入自在に設置したものであればよく、間柱４Ｆの角部等に設置してもよい。
【００８８】
図９は、本発明の第４実施形態に係る遊技機用柱における棚およびシールド板ロック具の使用状態を示す拡大概略図である。図１０は、本発明の第４実施形態に係る遊技機用柱における下側の棚の使用状態を示す拡大概略図である。図１１は、本発明の第４実施形態に係る遊技機用柱における上側の棚の使用状態を示す拡大概略図である。
【００８９】
≪棚の構成≫
図７および図９に示すように、棚５５，５６は、遊技者Ｍが使用する適宜な物品を載せるための略板状の部材である。この棚５５，５６は、遊技機２の左側の間柱４Ｆの柱面４Ｆｂに形成された棚収納部４Ｆｃ，４Ｆｄに、基端部に設けた軸を中心として９０度回動して出入収納自在に設けられると共に、上下２段に配設されている。この棚５５，５６は、例えば、ステンレス鋼等の金属製平板部材をプレス成型したものや、合成樹脂を射出成型したものや、木材等を切削加工したものからなる。間柱４Ｆから手前側へ倒すようにして引き出した棚５５，５６は、平面視して前側方向に長くなるように長方形に形成され、前後方向の長さがシールド板５Ｂを引き出したときの長さと略同じ長さに形成されると共に、膳板３５の幅より長く形成されている。棚５５，５６は、シールド板５Ｂに隣設されて、棚５５，５６に載せた物品を寄り掛けて置くことができるように配設されている。
棚５５，５６が係合する棚収納部４Ｆｃ，４Ｆｄは、間柱４Ｆの前面に穿設された縦長の長方形の孔からなり、シールド板５Ｂに沿って近隣に設けられている。
【００９０】
＜下側の棚の構成＞
図７および図９に示すように、下側の棚５５は、パチンコ玉またはコインを入れる箱（図９参照）やカバン（図１０参照）等の比較的重い荷物を載せるためのものであって、厚板状の平板部材からなる。この下側の棚５５は、基端部が軸によって、水平な状態から垂直な状態に約９０度回動自在に軸支されている。
【００９１】
＜上側の棚の構成＞
上側の棚５６は、図９に示すように、飲料缶やコップ、および携帯電話機や煙草の箱体等の小物類を載せて置くためのものであって、例えば、窪み５６ｂ，５６ｃを形成できるように肉厚な板状部材から形成されている。図９および図１１に示すように、この上側の棚５６は、平面視して長方形で側面視して略三角形の板部材からなる基体５６ｄと、この基体５６ｄの側面から上側方向に突出して設けられた側板５６ａと、小物類を支持する窪み５６ｂ，５６ｃと、を有する。この上側の棚５６は、基端部に設けた軸によって、水平な状態から垂直な状態に約９０度回動自在に設置されている。
なお、上側の棚５６と下側の棚５５とは、上下逆に配置しても構わない。
【００９２】
側板５６ａは、上側の棚５６の左右側部に設置された円弧形状の平板部材からなり、上側の棚５６の補強するための補強リブとしての役目と、上側の棚５６に載せた飲料缶やコップや小物類を寄り掛かけるように支持して左右方向から落下するのを防止する役目と、を果たす。なお、側板５６ａは、上側の棚５６の左右側部のどちらか一方の片側だけ設けてもよい。
【００９３】
窪み５６ｂは、例えば、飲料缶やコップ等を支持するために基体５６ｄの先端部側に形成された円形の溝からなり、上側の棚５６の先端側に設置されている。
窪み５６ｃは、例えば、携帯電話機や煙草の箱体を支持するために基体５６ｄに形成された略四角形の溝からなり、上側の棚５６の基端部側に設置されている。
基体５６ｄは、基端部側の窪み５６ｄが形成された部分の厚みが、先端部側の窪み５６ｂが形成された厚みより厚く形成されている。
【００９４】
図７に示すように、インフォメーションボード４７Ａは、前記第１実施形態のインフォメーションボード４７（図１参照）と同じものからなり、上側の棚５６の上に設置されている。
【００９５】
≪シールド板の構成≫
図９に示すように、シールド板５Ｂは、間柱４Ｆから前側に突出できるように、間柱４Ｆ内に引出収納自在に配置されると共に、遊技機２（図７参照）の下端部の高さおよび膳板３５の高さの位置から上端部の高さに亘って設けられている。
図１２は、本発明の第４実施形態に係る遊技機用柱におけるシールド板の取り付け状態を示す拡大斜視図である。
【００９６】
シールド板５Ｂは、図７に示すように、間柱４Ｆの柱面４Ｆｂに穿設されたシールド板収納孔４Ｆｅに引出収納自在に配置される。このシールド板５Ｂは、図１２に示すように、間柱４Ｆの内側に設置される枠フレーム３９の開口部３９ａに出引可能に設置され、スライドレール３６Ｂによってガイドされて移動する。シールド板５Ｂの移動範囲は、枠フレーム３９に水平に設置された一対のスライドレール３６Ｂの長さと、このスライドレール３６Ｂに所定範囲だけ摺動自在に設置されシールド板５Ｂの上下に固定されたストッパ３６Ｂａとによって制限されている。
なお、前記シールド板収納孔４Ｆｅは、四角形のロ字状の孔以外に、シールド板５Ｂの端部に形成したコ字状の切欠形成したものであって構わない。
【００９７】
シールド板５Ｂには、例えば、上端面５Ｂａ等の外周端部に、貫通孔３９ｂを挿通したロック部材５４ａが係合する溝状の係合部５Ｂｃが設けられている。前記貫通孔３９ｂは、枠フレーム３９の内部構成部材（図示せず）の上端部の前側に穿設されている。その貫通孔３９ｂの上方部位には、この間柱４Ｆの柱面４Ｆｂから突出した状態に配置された操作子５２と、この操作子５２の操作に連動して係合部５Ｂｃに係合しシールド板５Ｂの移動を阻止するロック部材５４ａと、を備えたシールド板ロック具５０が配置されている。
【００９８】
≪シールド板ロック具の構成≫
そのシールド板ロック具５０は、シールド板５Ｂを所定の引き出し位置にロックするためのものであり、例えば、図９に示すように、間柱４Ｆの柱面４Ｆｂの裏面側から操作子５２を柱面４Ｆｂの前面に突出した状態で配置されている。
図１３は、本発明の第４実施形態に係る遊技機用柱に設置されるシールド板ロック具の構造を示す拡大概略図である。
【００９９】
図１３に示すように、シールド板ロック具５０は、例えば、押圧操作可能かつ外方に付勢された操作子５２と、この操作子５２を押し込み状態に保持・解除するプッシュロック機構５１と、操作子５２に押圧されて直交する方向に連動しシールド板５Ｂの係合部５Ｂｃにロック部材５４ａを係合・離脱させるシールド板ロック機構５４と、から主に構成されている。
【０１００】
このシールド板ロック具５０は、操作子５２を枠フレーム３９の操作子貫通孔３９ｃおよび間柱４Ｆの操作子挿通孔４Ｆｆに挿通させると共に、ロック部材５４ａを枠フレーム３９の操作子貫通孔３９ｃに挿通させた状態で、枠フレーム３９に内設されている。
【０１０１】
図１３に示すように、操作子５２は、例えば、いわゆるプッシュロック式の略直方体のノブからなり、順次押圧操作することによって進退し、ロック部材５４ａを係合部５Ｂｃに係合・離脱させる部材である。この操作子５２は、上面に板ばね部材５１ａに付勢されたロックピン５１ｂの先端が圧接するハートカム部５２ａと、ロック部材５４ａの上端部に設置されて傾斜面を有するカム５４ｂを上下方向に移動させるためのスロープ５２ｂと、が形成されている。この操作子５２は、コイルばねＳＰ１を介在させてケース体５３に進退自在に設置されている。
【０１０２】
プッシュロック機構５１は、操作子５２を押圧してロック操作したときに、この押圧操作した状態を保持するためのロック機構であり、例えば、ハートカム部５２ａとロックピン５１ｂとの係合により操作子５２の位置をロックするいわゆるプッシュロック式のハートカム機構からなる。すなわち、プッシュロック機構５１は、操作子５２と、操作子５２の上面に形成されたハートカム部５２ａと、ケース体５３に固定されロックピン５１ｂを付勢するための板ばね部材５１ａと、一端がこの板ばね部材５１ａによって押圧され他端がハートカム部５２ａに圧接するロックピン５１ｂと、操作子５２を元の位置に自動復帰させるためのコイルばねＳＰ１と、を備えてなる。
【０１０３】
図１３に示すように、シールド板ロック機構５４は、カム５４ｂを押圧するスロープ５２ｂを有する操作子５２と、この操作子５２を押圧操作したときにスロープ５２ｂに圧接したカム５４ｂによって直交する方向に移動してシールド板５Ｂの係合部５Ｂｃに係合・離脱させるロック部材５４ａと、このロック部材５４ａをスロープ５２ｂ側に付勢するコイルばねＳＰ２と、を備えてなる。
【０１０４】
≪第４実施形態の作用≫
次に、本発明の第４実施形態に係る遊技機用柱および遊技島用フレームの作用を、図７〜図１３を参照して説明する。
【０１０５】
まず、図７を参照して遊技機用柱Ｐ６の間柱４Ｆの作用を説明する。
図７に示すように、間柱４Ｆは、従来の間柱より幅広に形成したことにより、柱面４Ｆｂに、肘掛け６Ｂ、棚５５，５６、インフォメーションボード４７Ａ、およびシールド板５Ｂを設置することが可能である。これにより、間柱４Ｆは、種々の機器や部材が設置されて、この各間柱４Ｆ間に介在された遊技機２で遊技する遊技者Ｍを快適にさせることができる。
【０１０６】
次に、図７および図８を参照して肘掛け６Ｂの作用を説明する。
肘掛け６Ｂを使用しないときには、図７に示すように、垂直に立てた状態にして肘掛収納部４Ｆａ内に柱面４Ｆｂに面一の状態に収納される。このため、肘掛け６Ｂは、不要な場合には、邪魔にならないように間柱４Ｆ内に収納できる。
【０１０７】
そして、肘掛け６Ｂを使用するときには、間柱４Ｆから手前側へ倒すようにして引き出して水平な状態にして腕を載せて使用する。間柱４Ｆの柱面４Ｆｂに形成された肘掛収納部４Ｆａには、遊技機２に設置されたハンドル２３の近傍に、比較的長い形状の肘掛け６Ｂが出入自在に設置されている。このため、遊技者Ｍは、遊技機２のハンドル２３を操作する腕を肘掛け６Ｂの上に載せた状態で操作できるので、長時間にわたって遊技機２を操作しても腕や肩に負担がかからず、肩が凝ることを解消できる。
【０１０８】
次に、図７および図１０を参照して下側の棚５５の作用を説明する。
下側の棚５５に荷物等を載せる場合には、棚収納部４Ｆｃから手前側へ倒すようにして引き出して水平な状態にして使用する。下側の棚５５を使用しない場合には、この棚５５を上側に上げて、棚収納部４Ｆｃを閉塞するように間柱４Ｆの柱面４Ｆｂに面一の状態に収納させる。このように下側の棚５５は、間柱４Ｆの柱面４Ｆｂの一部を構成する壁のように配置されるため、邪魔にならない。
なお、このとき、下側の棚５５が、膳板３５上に載置された状態になるように設置すれば、下側の棚５５が膳板３５に支持されるため、さらに、重い荷物等を載せることができるようになる。
【０１０９】
図７に示すように、下側の棚５５は、間柱４Ｆに沿って上下方向に長く形成された棚収納部４Ｆｃに収納自在設置されて、この棚収納部４Ｆｃから手前側へ倒すようにして引き出したときに、間柱４Ｆから膳板３５より前に突出した状態になるため、今まで置くことができなかったいわゆるドル箱も載せることが可能となる。
また、図１０に示すように、下側の棚５５には、シールド板５Ｂが隣設されたことにより、例えば、カバン等の比較的大きくて厚板状の荷物をシールド板５Ｂに寄り掛けるようにして載せることもできる。
【０１１０】
次に、図７、図９、図１０および図１１を参照して上側の棚５６の作用を説明する。
上側の棚５６に小物類を載せる場合には、棚収納部４Ｆｄからその棚５６を引き出すように回動させて水平な状態にして使用する。上側の棚５６を使用しない場合には、この棚５６を上側に上げて、棚収納部４Ｆｄを閉塞するように間柱４Ｆの柱面４Ｆｂに面一の状態に収納される。すると、上側の棚５５の窪み５６ｂ，５６ｃと側板５６ａは、間柱４Ｆ内に収納されて、外部から見えない状態となる。
【０１１１】
図１１に示すように、上側の棚５６は、窪み５６ｂ，５６ｃと側板５６ａとを有することによって、飲料缶やコップや携帯電話機や煙草の箱体等の物品を安定した状態で棚５６の上に載せることができる。また、上側の棚５６は、窪み５６ｂ，５６ｃを形成することができる厚みを有するので強度があり、さらに、側板５６ａが補強リブの役目をすることによって強度および耐久性が向上されるため、重い荷物等を安定した状態に載せることができる。
なお、窪み５６ｂ，５６ｃに下端部を入れて支持された小物類等の物品は、側板５６ａに寄り掛けて置くこともできるため、細長いものであっても安定した状態で支持される。
【０１１２】
図７および図９に示すように、上側の棚５６に飲料缶やコップ等を置いて、シールド板５Ｂを引き出した場合には、そのコップ等が倒れても隣席側に飲み物が落ちることを阻止することができるため、隣席の遊技者Ｍに迷惑を掛けることを解消できる。
【０１１３】
次に、図１２を主に参照してシールド板５Ｂの作動を説明する。
シールド板５Ｂは、枠フレーム３９（間柱４Ｆ）から引き出したときには、ストッパ３６Ｂａがスライドレール３６Ｂの前端部に係止することによって停止し、引き出し範囲が制限されている。
このシールド板５Ｂを引き出した状態で、操作子５２を押圧操作すると、ロック部材５４ａが係合部５Ｂｃに係合することによって、引き出した状態が保持される。そして、シールド板５Ｂを枠フレーム３９（間柱４Ｆ）に押し込んだときには、ストッパ３６Ｂａがスライドレール３６Ｂの後端部に係止することによって停止し、シールド板５Ｂの押す込み範囲が制限されるようになっている。
【０１１４】
図７、図９および図１０に示すように、間柱４Ｆには、シールド板５Ｂの近傍に、棚５５，５６が棚収納部４Ｆｃ，４Ｆｄに収納自在に設けられている。その結果、棚５５，５６の上に載せた物品は、シールド板５Ｂによって棚５５，５６から隣席側に落下することが阻止される。
このように、第４実施形態のシールド板５Ｂは、第１実施形態で説明した防煙壁・防音壁等としての機能以外に、さらに、棚５５，５６の上の物品が隣席側に落下することを防止する機能を備えている。
【０１１５】
［変形例］
なお、本発明は、前記第１〜第４実施形態に限定されるものではなく、その技術的思想の範囲内で種々の改造および変更が可能であり、本発明はこれら改造および変更された発明にも及ぶことは勿論である。
【０１１６】
≪シールド板ロック具の変形例≫
図１４は、シールド板ロック具の変形例を示す図であり、（ａ）は、操作子の回動操作でロック部材を係合部に係止させた状態を示す要部拡大斜視図、（ｂ）はロック部材をシールド板の後端面に係止させてロックしたときの状態を示す要部拡大斜視図、（ｃ）は操作子の回動をリンク機構によってロック部材の直線往復移動に変換する仕組みを示す要部拡大斜視図である。
【０１１７】
前記第４実施形態のシールド板ロック具５０（図１２および図１３参照）は、図１４（ａ）、（ｂ）、（ｃ）に示す変形例のようなロータリー式の操作子５２Ａ，５２Ｂ，５２Ｃによりロック部材５４Ａａ，５４Ｂａ，５４Ｃａを作動させてシールド板５Ｂをロックするものでもよく、操作子５２Ａ，５２Ｂ，５２Ｃと操作子５２Ａ，５２Ｂ，５２Ｃの操作でシールド板５Ｂをロックできれば、特にそれらの形状や構成等は限定されない。
【０１１８】
この場合、前記シールド板ロック具５０Ａは、シールド板５Ｂをロックするときには、図１４（ａ）に示すように、操作子５２Ａを回動操作してロック部材５４Ａａを係合部５Ｂｃに係合させ、解除するときには、操作子５２Ａを逆方向に回動操作してロック部材５４Ａａを係合部５Ｂｃから離脱させればよい。
【０１１９】
前記シールド板ロック具５０Ｂは、シールド板５Ｂを引き出してストッパ３６Ｂａ（図１２参照）がスライドレール３６Ｂの端部に係止して停止したときに、図１４（ｂ）に示すように、操作子５２Ｂを回動操作してロック部材５４Ｂａをシールド板５Ｂの後端面５Ｂｄに係止させることによって、シールド板５Ｂを動かないようにロックすることができる。
【０１２０】
シールド板ロック具５０Ｃは、図１４（ｃ）に示すように、回動式の操作子５２Ｃの回動を、操作子５２Ｃとロック部材５４Ｃａとからなるリンク機構によってロック部材５４Ｃａの直線往復移動に変換して、シールド板５Ｂの係合部５Ｂｃに係合・離脱するようにさせてもよい。
また、前記第４実施形態のシールド板ロック具５０（図１２および図１３参照）は、横方向に移動するスライド式のものであっても構わない。
【０１２１】
≪シールド板の変形例≫
また、本発明の第１〜第４実施形態に係る遊技機用柱Ｐ，Ｐ１，Ｐ６に設置されるシールド板５，５Ａ，５Ｂとして、図１〜図５、図７、図１２に示すように、間柱４，４Ａ，４Ｆ内に引出収納自在に配置した場合を例に挙げて説明したが、本発明のシールド板５，５Ａ，５Ｂを間柱４，４Ａ，４Ｆの仕切壁部４２，４２Ａの先端面や柱面４Ｆｂに固定してもよい。
このようにしても、前記実施形態と同様に、遊技機２間を仕切って、煙草の煙等を避けたり、スピーカ２２の音を遮ったりすることができる。
また、遊技機用柱Ｐの傾斜面４４ａ（図１参照），４４Ａａ（図５参照）は、柱の上端から下端まで形成される場合、柱の中央（例えば、遊技機２の高さ寸法の範囲）に形成される構成であっても構わない。
【図面の簡単な説明】
【０１２２】
【図１】本発明の第１実施形態に係る遊技機用柱および遊技島用フレームの設置状態を示す遊技島の要部斜視図である。
【図２】本発明の第１実施形態に係る遊技機用柱および遊技島用フレームの設置状態を示す遊技島の要部平面図である。
【図３】本発明の第１実施形態に係る遊技機用柱および遊技島用フレームの設置状態を示す遊技島の要部側面図である。
【図４】本発明の第１実施形態に係る遊技機用柱および遊技島用フレームの設置状態を示す遊技島の要部正面図である。
【図５】本発明の第２実施形態に係る遊技機用柱を示す図であり、（ａ）は右側から見た間柱の斜視図であり、（ｂ）は左側から見た間柱の斜視図である。
【図６】本発明の第３実施形態に係る遊技機用柱を示す図であり、（ａ）は略三角柱形状の間柱を示す斜視図、（ｂ）は中央部に傾斜面を有する間柱の斜視図、（ｃ）は略Ｌ字型の間柱の斜視図、（ｄ）中央部に傾斜面を有する略Ｔ字型の間柱の斜視図である。
【図７】本発明の第４実施形態に係る遊技機用柱を示す斜視図である。
【図８】本発明の第４実施形態に係る遊技機用柱における肘掛けの設置状態を示す拡大斜視図である。
【図９】本発明の第４実施形態に係る遊技機用柱における棚およびシールド板ロック具の使用状態を示す拡大概略図である。
【図１０】本発明の第４実施形態に係る遊技機用柱における下側の棚の使用状態を示す拡大概略図である。
【図１１】本発明の第４実施形態に係る遊技機用柱における上側の棚の使用状態を示す拡大概略図である。
【図１２】本発明の第４実施形態に係る遊技機用柱におけるシールド板の取り付け状態を示す拡大斜視図である。
【図１３】本発明の第４実施形態に係る遊技機用柱に設置されるシールド板ロック具の構造を示す拡大概略図である。
【図１４】シールド板ロック具の変形例を示す図であり、（ａ）は、操作子の回動操作でロック部材を係合部に係止させた状態を示す要部拡大斜視図、（ｂ）はロック部材をシールド板の後端面に係止させてロックしたときの状態を示す要部拡大斜視図、（ｃ）は操作子の回動をリンク機構によってロック部材の直線往復移動に変換する仕組みを示す要部拡大正面図である。
【符号の説明】
【０１２３】
１      遊技場
２      遊技機
３      遊技島
４，４Ａ〜４Ｆ  間柱
４ａ    シールド板収納孔
４ｂ    表示板収納孔
４Ｆａ，４３Ａａ  肘掛収納部
４Ｆｃ，４Ｆｄ  棚収納部
５，５Ａ，５Ｂ  シールド板
６，６Ａ，６Ｂ  肘掛け
７      カウンタ
７１    シュータ（投入口）
１０    表示板
２１    筐体
２３    ハンドル
３１    フレーム（遊技機用フレーム）
３２    支柱
４３，４３Ａ，４４，４４Ａ，４Ｂｂ，４Ｃｂ，４Ｄｂ，４Ｅｂ，４Ｆｂ  柱面
４４ａ，４４Ａａ，４Ｃａ，４Ｅａ  傾斜面
５２，５２Ａ，５２Ｂ，５２Ｃ  操作子
５４ａ，５４Ａａ，５４Ｂａ，５４Ｃａ  ロック部材
５５，５６  棚
Ｐ，Ｐ１〜Ｐ６  遊技機用柱
【図１】
0004758834.tif 000002
【図２】
0004758834.tif 000003
【図３】
0004758834.tif 000004
【図４】
0004758834.tif 000005
【図５】
0004758834.tif 000006
【図６】
0004758834.tif 000007
【図７】
0004758834.tif 000008
【図８】
0004758834.tif 000009
【図９】
0004758834.tif 000010
【図１０】
0004758834.tif 000011
【図１１】
0004758834.tif 000012
【図１２】
0004758834.tif 000013
【図１３】
0004758834.tif 000014
【図１４】
0004758834.tif 000015